(57)【要約】【課題】軸組に取り付けてある幅広の既設外壁パネルを取り外して、その軸組に複数の幅狭の新設外壁パネルを横並びに取り付けるにあたって、現場任せとなっていた曖昧な技術を明確して、施工性の向上を図るとともに、新設外壁パネルを安定して取り付ける。【解決手段】既存外壁パネル２を取り外した後の軸組１の中柱８に、隣接する新設外壁パネル３、３の端部３ａ、３ａを受ける受け部材１０、１０と、隣接する新設外壁パネル３、３の端部３ａ、３ａを固定する固定部材１１とを取り付けて、隣接する新設外壁パネル３、３の端部３ａ、３ａを、受け部材１０、１０にあてがうようにして固定部材１１によって固定する。【選択図】図６
2008111252.tif 000002
【特許請求の範囲】
【請求項１】
軸組（１）に取り付けてある幅広の既設外壁パネル（２）を取り外して、その軸組（１）に複数の幅狭の新設外壁パネル（３）（３）を横並びに取り付けるにあたって、前記既設外壁パネル（２）を取り外した後の軸組（１）の中柱（８）に、隣接する前記新設外壁パネル（３）（３）の端部（３ａ）（３ａ）を受ける受け部材（１０）（１０）と、隣接する前記新設外壁パネル（３）（３）の端部（３ａ）（３ａ）を固定する固定部材（１１）とを取り付けて、隣接する前記新設外壁パネル（３）（３）の端部（３ａ）（３ａ）を、前記受け部材（１０）（１０）にあてがうようにして前記固定部材（１１）によって固定したことを特徴とする外壁の改修方法。
【請求項２】
リップ付き溝形鋼からなる前記中柱（８）の溝内に、前記受け部材（１０）（１０）及び固定部材（１１）を固定するためのベース部材（１２）を設けた請求項１記載の外壁の改修方法。
【請求項３】
前記受け部材（１０）（１０）は、固定片（３０）と受け片（３１）とを略Ｌ型に連結してなり、前記固定片（３０）を、前記中柱（８）のウエブ（８ａ）若しくはリップ（８ｃ）（８ｃ）に重ね合わせた状態で固定ボルト（３２）によって前記ベース部材（１２）に固定して、前記受け片（３１）を、前記中柱（８）の外側のフランジ（８ｂ）に対して略面一に配置した請求項２記載の外壁の改修方法。
【請求項４】
前記固定部材（１１）は、基台（４０）と、この基台（４０）に回転可能に取り付けた押さえ片（４２）（４２）とを備え、前記基台（４０）を、前記中柱（８）の外側のフランジ（８ｂ）表面側に配置させた状態で固定ボルト（４３）によって前記ベース部材（１２）に固定して、前記押さえ片（４２）（４２）を、前記受け部材（１０）（１０）の受け片（３１）（３１）との間で隣接する前記新設外壁パネル（３）（３）の端部（３ａ）（３ａ）を挟み込むように回転させることで、隣接する前記新設外壁パネル（３）（３）の端部（３ａ）（３ａ）を固定した請求項３記載の外壁の改修方法。
【請求項５】
前記軸組（１）の中柱（８）に、隣接する前記新設外壁パネル（３）（３）の端部（３ａ）（３ａ）間の目地隙間を塞ぐための目地材（５０）を取り付けた請求項１乃至４のいずれかに記載の外壁の改修方法。
【請求項６】
既設外壁パネル（２）の幅寸法の約半分の幅寸法を有する新設外壁パネル（３）（３）を用いるようにした請求項１乃至５のいずれかに記載の外壁の改修方法。
【発明の詳細な説明】
【技術分野】
【０００１】
この発明は、主として鉄骨軸組構造の建物における外壁の改修方法に関する。
【背景技術】
【０００２】
従来より、建築後長年月を経て古くなった鉄骨軸組構造の建物における外壁部分の改修に際しては、外壁面に新たな塗装を施す方法や既設外壁パネルの上に新設外壁パネルを貼り付ける方法が知られている。
【０００３】
しかしながら、塗装を施す方法では、塗装の種類にも限界があり、意匠表現が限られるのみならず、塗装作業の際に近隣への塗料飛散対策や臭対策を迫られるという欠点がある。
【０００４】
他方、新設外壁パネルを貼り付ける方法は、既設外壁パネルと新設外壁パネルとが重なり合った状態となるため、壁厚が大きくなって外壁面が大きく張り出すことになり、窓、雨戸、水切、樋等といった他の外装部材との取合いに特別な配慮が必要となるという欠点がある。
【０００５】
上記以外の方法として、例えば特許文献１にも開示されているように、軸組に取り付けてある既設外壁パネルを取り外して、その軸組に新設外壁パネルを取り付けるといった方法がある。この場合、上記方法に比べて改修工事が大掛かりとなるものの、近隣への塗料飛散対策や臭対策を考慮する必要がなく、また他の外装部材との取合いに際して特別な配慮が不要となるといった利点がある。
【０００６】
【特許文献１】特開２００３−６４８８４号公報
【発明の開示】
【発明が解決しようとする課題】
【０００７】
しかしながら、このように既設外壁パネルを新設外壁パネルに交換する場合、次のような問題があった。すなわち、建物の建築当初は、無調柄の外壁パネルを使用していたが、改修に際して、近年主流であるところの縦横方向性のある柄付き外壁パネルに全面交換するような場合、製造上の都合により、幅広の柄付き外壁パネルを用意できないことがある。このため、例えば窓上や窓下に使用していた幅広(例えば横幅寸法が２ｍ程度)の無調柄の外壁パネルを、柄付き外壁パネルに交換する際には、幅広の無調柄の外壁パネルを取り外した後の軸組に対して、２枚の幅狭(例えば横幅寸法が１ｍ程度)の柄付き外壁パネルを横並びに取り付けるといった施工がなされているが、この場合、隣接する柄付き外壁パネルの端部が軸組の幅方向略中央に位置することになって、これら端部を裏支えする部材がないことから、柄付き外壁パネルの軸組への取り付けが不安定となるといった問題があった。
【０００８】
現状において、このような問題を解消するための確立された技術はなく、ほとんどが現場任せの対応となっており、このため施工性の悪化を招いて施工時間が長くなったり、外壁パネルの取付強度や取付精度にバラツキが生じるといった不具合が生じていた。
【０００９】
この発明は、上記に鑑み、軸組に取り付けてある幅広の既設外壁パネルを取り外して、その軸組に複数の幅狭の新設外壁パネルを横並びに取り付けるにあたって、現場任せとなっていた曖昧な技術を明確に確立することで、施工性の向上を図るとともに、新設外壁パネルを安定して取り付けることができる改修方法の提供を目的とする。
【課題を解決するための手段】
【００１０】
上記課題を解決するため、この発明の外壁の改修方法は、軸組１に取り付けてある幅広の既設外壁パネル２を取り外して、その軸組１に複数の幅狭の新設外壁パネル３、３を横並びに取り付けるにあたって、前記既設外壁パネル２を取り外した後の軸組１の中柱８に、隣接する前記新設外壁パネル３、３の端部３ａ、３ａを受ける受け部材１０、１０と、隣接する前記新設外壁パネル３、３の端部３ａ、３ａを固定する固定部材１１とを取り付けて、隣接する前記新設外壁パネル３、３の端部３ａ、３ａを、前記受け部材１０、１０にあてがうようにして前記固定部材１１によって固定したことを特徴とする。
【００１１】
そして、リップ付き溝形鋼からなる前記中柱８の溝内に、前記受け部材１０、１０及び固定部材１１を固定するためのベース部材１２を設けている。
【００１２】
また、前記受け部材１０、１０は、固定片３０と受け片３１とを略Ｌ型に連結してなり、前記固定片３０を、前記中柱８のウエブ８ａ若しくはリップ８ｃ、８ｃに重ね合わせた状態で固定ボルト３２によって前記ベース部材１２に固定して、前記受け片３１を、前記中柱８の外側のフランジ８ｂに対して略面一に配置している。
【００１３】
さらに、前記固定部材１１は、基台４０と、この基台４０に回転可能に取り付けた押さえ片４２、４２とを備え、前記基台４０を、前記中柱８の外側のフランジ８ｂ表面側に配置させた状態で固定ボルト４３によって前記ベース部材１２に固定して、前記押さえ片４２、４２を、前記受け部材１０、１０の受け片３１、３１との間で隣接する前記新設外壁パネル３、３の端部３ａ、３ａを挟み込むように回転させることで、隣接する前記新設外壁パネル３、３の端部３ａ、３ａを固定している。
【００１４】
さらにまた、前記軸組１の中柱８に、隣接する前記新設外壁パネル３、３の端部３ａ、３ａ間の目地隙間を塞ぐための目地材５０を取り付けている。また、既設外壁パネル２の幅寸法の約半分の幅寸法を有する新設外壁パネル３、３を用いるようにしている。
【発明の効果】
【００１５】
この発明における外壁の改修方法では、軸組に取り付けてある幅広の既設外壁パネルを取り外して、その軸組に複数の幅狭の新設外壁パネルを横並びに取り付けるにあたって、隣接する新設外壁パネルの端部を、軸組の中柱に取り付けた受け部材にあてがうようにして固定部材によって固定していることから、例えば無調柄の外壁パネルを柄付き外壁パネルに交換するような場合において、現場任せとなっていた曖昧な技術を明確にして、施工性の向上及び施工時間の短縮を図りながら、新設外壁パネルを軸組に安定して取り付けることができる。
【００１６】
また、軸組の中柱の溝内に設けたベース部材を利用して、受け部材及び固定部材を中柱に取り付けることで、施工性をさらに高め、また隣接する新設外壁パネルの端部を中柱に安定して固定することができる。
【００１７】
さらに、軸組の中柱に目地材を取り付けて、隣接する新設外壁パネルの端部間の目地隙間を塞ぐようにすることで、防水性の向上を図ることができる。
【発明を実施するための最良の形態】
【００１８】
以下、この発明の実施形態を図面に基づいて詳細に説明する。この発明の一実施形態に係る外壁の改修方法では、図１に示すように、鉄骨軸組構造の住宅の軸組１・・に取り付けてある無調柄の既設外壁パネル２・・を取り外して、その軸組１・・に柄付きの新設外壁パネル３・・を取り付けるようにしている。そして、特に窓４の上側及び下側においては、軸組１に取り付けてある幅広(例えば横幅寸法が２ｍ程度)の既設外壁パネル２を取り外して、その軸組１に一対の幅狭(例えば横幅寸法が１ｍ程度)の新設外壁パネル３、３を横並びに取り付けるようにしている。
【００１９】
この新設外壁パネル３、３を横並びに取り付ける軸組１は、図２に示すように、方形枠状の枠部材５と、この枠部材５の枠内に取り付けた上下一対の横材６、６と、枠部材５の上枠材５ａと上側の横材６の中央部間、及び、枠部材５の下枠材５ｂと下側の横材６の中央部間を夫々連結する補強用の中柱８、８とを一体的に組み付けてなる。
【００２０】
そして、この軸組１における上下の横材６、６間に窓４が取り付けられ、その上側に位置する枠部材５の上枠材５ａと上側の横材６との間、及び、下側に位置する枠部材５の下枠材５ｂと下側の横材６との間において、既設外壁パネル２と新設外壁パネル３、３との交換が夫々なされるようになっている。
【００２１】
ここで、新設外壁パネル３、３の取り付けに際しては、既設外壁パネル２を取り付けていたときと同様に、その周端部を軸組１の外側面にあてがいながら固定金具等を利用して軸組１に止め付けることになるが、軸組１の幅方向略中央に位置する新設外壁パネル３、３の端部３ａ、３ａについては、軸組１の幅方向略中央に配置された中柱８、８だけでは裏支えすることができない。
【００２２】
そこで、既設外壁パネル２を取り外した後の軸組１の中柱８には、図３及び図４に示すように、隣接する新設外壁パネル３、３の端部３ａ、３ａを受ける一対の受け部材１０、１０と、隣接する新設外壁パネル３、３の端部３ａ、３ａを固定する固定部材１１と、受け部材１０、１０及び固定部材１１を固定するためのベース部材１２とを夫々取り付けている。
【００２３】
ベース部材１２は、図５に示すように、受け部材１０、１０を止め付ける一対の側面片２０、２０と、これら側面片２０、２０の上端部間を連結する上面片２１と、この上面片２１の前端部から垂下して固定部材１１を止め付ける前面片２２とからなる。そして、このベース部材１２は、その側面片２０、２０がリップ付き溝形鋼からなる中柱８のウエブ８ａ及びリップ８ｃ、８ｃに沿うように、且つ、その前面片２２が中柱８の外側のフランジ８ｂに沿うようにして、中柱８の溝内に配置される。なお、側面片２０、２０には、ボルト孔２０ａが夫々形成され、前面片２２には、ボルト孔２２ａと、このボルト孔２２ａを挟むように配された上下一対のボルト回避用孔２２ｂ、２２ｂとが形成されている。
【００２４】
一対の受け部材１０、１０は、図３及び図４に示すように、固定片３０と受け片３１とを略Ｌ型に連結してなる。そして、一方の受け部材１０は、その固定片３０を中柱８のウエブ８ａに重ね合わせ、且つ、受け片３１を中柱８の外側のフランジ８ｂに対して略面一に配置した状態で、固定片３０及びウエブ８ａを貫通する固定ボルト３２をベース部材１２の一方の側面片２０のボルト孔２０ａにねじ込むことによって、ベース部材１２の一方の側面片２０に固定される。また、他方の受け部材１０は、固定片３０を中柱８のリップ８ｃ、８ｃに重ね合わせ、且つ、受け片３１を中柱８の外側のフランジ８ｂに対して略面一に配置した状態で、固定片３０及びリップ８ｃ、８ｃ間を貫通する固定ボルト３２をベース部材１２の他方の側面片２０のボルト孔２０ａにねじ込むことによって、ベース部材１２の他方の側面片２０に固定される。
【００２５】
固定部材１１は、図３及び図４に示すように、基台４０と、この基台４０にボルト４１、４１によって取り付けられた回転可能な押さえ片４２、４２とを備えている。この固定部材１１は、その基台４０を中柱８の外側のフランジ８ｂ表面側に配置させた状態で、基台４０及びフランジ８ｂを貫通する固定ボルト４３をベース部材１２の前面片２２のボルト孔２２ａにねじ込むことによって、ベース部材１２の前面片２２に固定される。この場合、押さえ片４２、４２を止め付けるボルト４１、４１の先端部は、中柱８の外側のフランジ８ｂに形成した上下一対のボルト回避用孔４５、４５及びベース部材１２の前面片２２のボルト回避用孔２２ｂ、２２ｂに挿通された状態となっている。
【００２６】
また、中柱８の外側のフランジ８ｂ表面には、図３に示すように、固定部材１１を取り付ける前に、その表面のほぼ全面に亘って目地材としての目地テープ５０を貼り付けるようにしている。
【００２７】
このように、既設外壁パネル２を取り外した後の軸組１の中柱８に、その中柱８を挟むようにして一対の受け部材１０、１０を夫々取り付けることで、これら受け部材１０、１０を背もたれとして、隣接する新設外壁パネル３、３の端部３ａ、３ａを裏支えすることができる。なお、新設外壁パネル３、３は、方形サイディング材５１の裏面に方形枠状の枠体５２及び断熱材５３を取り付けてなる。枠体５２は、断面略コ字形に形成され、その開放部分が外向きになるようにして配置されている。
【００２８】
したがって、図６に示すように、隣接する新設外壁パネル３、３の端部３ａ、３ａ(具体的には、枠体５２、５２)を、受け部材１０、１０の受け片３１、３１に夫々あてがうようにして、固定部材１１の押さえ片４２、４２を約９０度回転させて、受け部材１０、１０の受け片３１、３１との間で新設外壁パネル３、３の枠体５２、５２の内側片５２ａ、５２ａを挟み込むことで、隣接する新設外壁パネル３、３の端部３ａ、３ａをしっかりと固定して、新設外壁パネル３、３を軸組１に安定して取り付けている。このとき、隣接する新設外壁パネル３、３の端部３ａ、３ａ間の目地隙間は、目地テープ５０によって塞がれていて、防水性も確保されている。
【００２９】
なお、この発明は、上記実施形態に限定されるものではなく、この発明の範囲内で上記実施形態に多くの修正及び変更を加え得ることは勿論である。
【図面の簡単な説明】
【００３０】
【図１】この発明の一実施形態に係る外壁の改修方法の概略を説明する斜視図である。
【図２】軸組の正面図である。
【図３】軸組の中柱部分の斜視図である。
【図４】軸組の中柱部分の分解斜視図である。
【図５】ベース部材の斜視図である。
【図６】隣接する新設外壁パネルの端部の固定状態を示す横断面図である。
【符号の説明】
【００３１】
１・・軸組、２・・既設外壁パネル、３・・新設外壁パネル、３ａ・・新設外壁パネルの端部、８・・中柱、８ａ・・ウエブ、８ｂ・・フランジ、８ｃ・・リップ、１０・・受け部材、１１・・固定部材、１２・・ベース部材、３０・・固定片、３１・・受け片、３２・・固定ボルト、４０・・基台、４２・・押さえ片、４３・・固定ボルト、５０・・目地材
【図１】
2008111252.tif 000003
【図２】
2008111252.tif 000004
【図３】
2008111252.tif 000005
【図４】
2008111252.tif 000006
【図５】
2008111252.tif 000007
【図６】
2008111252.tif 000008